(57)【要約】【課題】  海水を冷却水とする冷却システムにおいて、防食剤として、硫酸第一鉄を含む水溶液を注入する設備の洗浄方法であって、該注入設備における注入用配管等の閉塞を防止でき、長期的に安定して硫酸第一鉄水溶液の注入が可能となるという優れた特徴を有する硫酸第一鉄水溶液注入設備の洗浄方法を提供する。【解決手段】  海水を冷却水とする冷却システムにおいて、防食剤として、硫酸第一鉄を含む水溶液を注入する設備の洗浄方法であって、水を間欠的に該注入設備に供給する事を特徴とする硫酸第一鉄水溶液注入設備の洗浄方法。間欠的に使用する洗浄用の水は、特に限定されるものではないが、より高い洗浄効果を得るためには、錆、ヘドロ等を含まない清浄な水である事が好ましく、例えば、ボイラー給水に用いられる純水等が挙げられる。【選択図】  図１
2006142254.tif 000002
【特許請求の範囲】
【請求項１】
海水を冷却水とする冷却システムにおいて、防食剤として、硫酸第一鉄を含む水溶液を注入する設備の洗浄方法であって、水を間欠的に該注入設備に供給する事を特徴とする硫酸第一鉄水溶液注入設備の洗浄方法。
【請求項２】
硫酸第一鉄水溶液の注入が間欠的である事を特徴とする請求項１に記載の硫酸第一鉄水溶液注入設備の洗浄方法。
【請求項３】
水を間欠的に該注入設備に供給する事を、該注入設備と同一の容器、ポンプおよび配管で行う事を特徴とする請求項１あるいは請求項２に記載の硫酸第一鉄水溶液注入設備の洗浄方法。
【発明の詳細な説明】
【技術分野】
【０００１】
本発明は、硫酸第一鉄水溶液注入設備の洗浄方法に関するものである。さらに詳しくは、本発明は、海水を冷却水とする冷却システムにおいて、防食剤として、硫酸第一鉄を含む水溶液を注入する設備の洗浄方法であって、該注入設備における注入用配管等の閉塞を防止でき、長期的に安定して硫酸第一鉄水溶液の注入が可能となるという優れた特徴を有する硫酸第一鉄水溶液注入設備の洗浄方法に関するものである。
【背景技術】
【０００２】
一般に、臨海工業地帯の発電所、石油精製および石油化学工場での海水を冷却水とした冷却システムでは銅合金製熱交換器が多く用いられている。ここで、海水と接触する該熱交換器の銅合金部は海水により腐食されるため、硫酸第一鉄を防食剤として添加して防食する方法が一般に行われている（特許文献１参照）。この硫酸第一鉄による防食作用は、海水中に注入された第一鉄イオン（Ｆｅ2+）が銅合金表面で析出して形成されるオキシ水酸化鉄の保護皮膜によるものである。
【０００３】
結晶硫酸第一鉄を水に溶解し得られた所定濃度の硫酸第一鉄水溶液を銅合金製熱交換器の防食剤として、冷却水である海水中の第一鉄イオン濃度が所望の濃度になるように注入する防食方法は、広く知られている（たとえば特許文献１）。また、防食剤の使用方法は、防食剤を貯槽などに貯留し、銅合金と接触する海水中に連続的または間欠的に注入する方法がある。経験的に防食効果が得られる第一鉄イオン濃度の目安は表１の通りである。
【０００４】
【表１】
2006142254.tif 000003
【０００５】
防食剤として用いる硫酸第一鉄としては、結晶硫酸第一鉄を水に溶解して所定濃度の水溶液とし、これを海水中の第一鉄イオン濃度が所望の濃度になるように注入する方法が一般的である。しかし、この方法では、得られる水溶液が不安定である為に注入用配管内部で第一鉄イオンが酸化され、第二鉄イオンの水酸化物となって析出し、次第に注入用配管を閉塞させ、防食の為の海水への第一鉄イオンの安定供給を阻害するという問題があった。
【０００６】
また、硫酸第一鉄水溶液中の第一鉄イオンは、海水と接触し酸化されると第二鉄イオンの水酸化物となって析出する事から、熱交換器入口近傍の配管に注入する必要があり、工場内に設置されている結晶硫酸第一鉄溶解設備と銅合金製熱交換器との距離が遠距離である場合、注入用配管は長距離・高所に設置されることが多い。従って、注入用配管が閉塞した場合は、閉塞箇所の特定および配管解体による閉塞物の除去が非常に困難となるという問題があった。
【０００７】
【特許文献１】特開平８−１５８０７６公報（第２頁）
【発明の開示】
【発明が解決しようとする課題】
【０００８】
かかる状況において、本発明が解決しようとする課題は、海水を冷却水とする冷却システムにおいて、防食剤として、硫酸第一鉄を含む水溶液を注入する設備の洗浄方法であって、該注入設備における注入用配管等の閉塞を防止でき、長期的に安定して硫酸第一鉄水溶液の注入が可能となるという優れた特徴を有する硫酸第一鉄水溶液注入設備の洗浄方法を提供する点にある。
【課題を解決するための手段】
【０００９】
すなわち、本発明は、海水を冷却水とする冷却システムにおいて、防食剤として、硫酸第一鉄を含む水溶液を注入する設備の洗浄方法であって、水を間欠的に該注入設備に供給する事を特徴とする硫酸第一鉄水溶液注入設備の洗浄方法に係るものである。
【発明の効果】
【００１０】
本発明により、海水を冷却水とする冷却システムにおいて、防食剤として、硫酸第一鉄を含む水溶液を注入する設備の洗浄方法であって、該注入設備における注入用配管等の閉塞を防止でき、長期的に安定して硫酸第一鉄水溶液の注入が可能となるという優れた特徴を有する硫酸第一鉄水溶液注入設備の洗浄方法を提供することができる。
【発明を実施するための最良の形態】
【００１１】
以下、図１を参照しながら説明する。（）内の番号は図１中の番号に対応する。
【００１２】
本発明の硫酸第一鉄水溶液注入設備の洗浄方法は、下記に説明する条件を満足すること以外は、硫酸第一鉄水溶液の注入方法、注入設備の構造、大きさ等の制限はない。
【００１３】
本発明で間欠的に使用する洗浄用の水は、特に限定されるものではないが、より高い洗浄効果を得るためには、錆、ヘドロ等を含まない清浄な水である事が好ましく、例えば、ボイラー給水に用いられる純水等が挙げられる。また、洗浄用の水には、通常、使用している硫酸第一鉄水溶液をさらに10倍程度希釈した状態の水であれば、純水に代用することができる。
【００１４】
水の供給箇所は、硫酸第一鉄水溶液の長期注入により閉塞が起こり得る箇所より上流側であれば良い。好ましくは、結晶硫酸第一鉄溶解用容器(1)に水を貯留し、注入ポンプ(2)を介して、注入ポンプ入口配管、注入用配管ヘッダー(6)、仕切り弁(3)、注入用配管(5)に通水するのが容易な方法である。
【００１５】
洗浄の間隔、流量および通水時間は、注入用配管(5)が多点ある場合は、硫酸第一鉄水溶液の通常の注入時間、配管長さおよび構造などから判断して、最も閉塞が起こり易い注入用配管(5)を基準に、該注入用配管が閉塞しない所定の条件で実施するのが良い。
【００１６】
さらには、結晶硫酸第一鉄溶解用容器(1)にて貯留している硫酸第一鉄水溶液の酸化を防止する為に、シール用の窒素を容器の気相部に少量注入しておくのが好ましい。
【実施例】
【００１７】
以下、本発明を実施例により、さらに具体的に説明するが、もとより本発明はこれらの例により限定されるものではない。
【００１８】
実施例１
図１の硫酸第一鉄水溶液注入設備を用いた。該注入設備には、注入用配管（５）を２３箇所設置した。
結晶硫酸第一鉄溶解用容器（１）において、市販の結晶硫酸第一鉄を純水で溶解し、得られた硫酸第一鉄水溶液（第一鉄イオン濃度：略４０，０００ｍｇ／Ｌ）を実施例１の防食剤とした。
防食剤の使用方法は、間欠注入とし、防食剤の注入量は、各銅合金熱交換器（４）の注入点での海水流量に対し、１日あたりの第一鉄イオン注入濃度が１  ｍｇ／Ｌとなるように注入ポンプ（２）の吐出流量および仕切り弁（３）の開閉時間を調整した。
上記の防食剤注入とは別に、１回／月の頻度で、結晶硫酸第一鉄溶解用容器（１）に第一鉄イオン濃度が４０００ｍｇ／Ｌ以下となるように純水を貯留し、上記の防食剤の間欠注入方法と同様の方法での純水の供給を２回実施した。
上記の使用方法で該注入設備を５年間使用した。その結果、注入用配管（５）および注入用配管ヘッダー（６）の閉塞は発生せず、安定して硫酸第一鉄水溶液の注入が可能となった。
【００１９】
比較例１
間欠的に水洗を実施する事を除き、実施例１と同様の設備、方法での硫酸第一鉄水溶液の注入を１年間実施した。その結果、２３箇所ある注入用配管（５）のうち、８箇所で配管の閉塞が発生した。これらの閉塞は主に配管エルボ部で発生していた。
【図面の簡単な説明】
【００２０】
【図１】本発明の実施例１および比較例１で用いた硫酸第一鉄水溶液注入設備のフロー図である。
【符号の説明】
【００２１】
１  結晶硫酸第一鉄溶解用容器
２  注入ポンプ
３  仕切り弁
４  銅合金製熱交換器
５  注入用配管
６  注入用配管ヘッダー
【図１】
2006142254.tif 000004